(57)【要約】【課題】見栄えを良くし、容易に受信感度を向上させることができる開閉装置の構造を提供する。【解決手段】開閉装置の構造において、建造物２７の開口部３１を開閉する開閉体１３と、開口部３１の近傍に設けられ開閉体１３を電動で開閉駆動する開閉機１５と、開口部３１の近傍に設けられ開閉機１５に導通接続されて開閉機１５を動作制御する制御盤１７と、制御盤１７に設けられコントローラからの無線による操作信号を制御盤内に設けた制御部へ出力する受信部と、少なくとも制御盤１７を覆うとともに制御盤１７を表出させる点検口を有した金属製のケース２１と、点検口に着脱自在に取り付けられる樹脂製の蓋体２３と、蓋体２３の裏面５３に取り付けられケーブル５７及びこのケーブル５７の端末に設けられたコネクタを介して受信部に導通接続されてコントローラからの操作信号を受信して受信部へ送る蓋体アンテナ２５と、を備える。【選択図】  図２
2020165107.tif 000002
【特許請求の範囲】
【請求項１】
建造物の開口部を開閉する開閉体と、
前記開口部の近傍に設けられ前記開閉体を電動で開閉駆動する開閉機と、
前記開口部の近傍に設けられ前記開閉機に導通接続されて前記開閉機を動作制御する制御盤と、
コントローラからの無線による操作信号を制御盤内に設けた制御部へ出力する受信部と、
少なくとも前記制御盤を覆うとともに前記制御盤を表出させる点検口を有した金属製のケースと、
前記点検口に着脱自在に取り付けられる電磁波透過性素材よりなる蓋体と、
前記蓋体の裏面に取り付けられ、ケーブル及びこのケーブルの端末に設けられたコネクタを介して前記受信部に導通接続されて前記コントローラからの操作信号を受信して前記受信部へ送る蓋体アンテナと、
を備えることを特徴とする開閉装置の構造。
【請求項２】
前記蓋体の裏面に、前記蓋体アンテナを取り付けるための凹部が形成されていることを特徴とする請求項１に記載の開閉装置の構造。
【請求項３】
前記蓋体の表面が、前記ケースの表面と同一の意匠で統一されていることを特徴とする請求項１または２に記載の開閉装置の構造。
【請求項４】
前記受信部のアンテナ回路に、内蔵アンテナが予め接続され、
前記コネクタが前記受信部に導通接続されたときには、前記制御部が、前記内蔵アンテナと前記受信部とを遮断し、前記蓋体アンテナと前記受信部とを接続することを特徴とする請求項１〜３のいずれか一つに記載の開閉装置の構造。
【発明の詳細な説明】
【技術分野】
【０００１】
本発明は、シャッター装置などの開閉装置の構造に関する。
【背景技術】
【０００２】
電動で開閉体を開閉させる開閉装置である例えば電動シャッター装置は、従来、シャッター装置近傍の壁面や、シャッターカーテンの収納ボックスの前面などに、ブラケットなどのアンテナ取付具によって受信アンテナが取り付けられ、リモコン送信機からの電波を捕捉することにより、無線による遠隔操作でシャッターカーテンの開閉動作を制御可能としていた。
【先行技術文献】
【特許文献】
【０００３】
【特許文献１】特開平１０−３０３６２８号公報
【特許文献２】特開２０００−１６５９７０号公報
【特許文献３】特開２００１−９４３２１号公報
【発明の概要】
【発明が解決しようとする課題】
【０００４】
しかしながら、受信アンテナをシャッター近傍の壁面や、シャッターカーテンの収納ボックスの前面などに、アンテナ取付具によって取り付ければ、アンテナや、このアンテナを内部へ繋がるケーブルが表出することとなって目障りとなり、シャッター装置（開閉装置）の意匠性を損ねる場合があった。また、アンテナを取り付けるための好ましい設置場所をさがすことや、設置作業に手間が掛かる問題もあった。一方、シャッターカーテンの収納ボックスに、受信アンテナを収容することも考えられるが、収納ボックスが金属製であるため、コントローラからの操作信号が届きにくく、開閉装置の近傍でしか操作ができない問題があった。
【０００５】
本発明は上記状況に鑑みてなされたもので、その目的は、見栄えを良くし、容易に受信感度を向上させることができる開閉装置の構造を提供することにある。
【課題を解決するための手段】
【０００６】
次に、上記の課題を解決するための手段を、実施の形態に対応する図面を参照して説明する。
本発明の請求項１記載の開閉装置の構造は、建造物２７の開口部３１を開閉する開閉体１３と、
前記開口部３１の近傍に設けられ前記開閉体１３を電動で開閉駆動する開閉機１５と、
前記開口部３１の近傍に設けられ前記開閉機１５に導通接続されて前記開閉機１５を動作制御する制御盤１７と、
コントローラ３９からの無線による操作信号を前記制御盤１７内に設けた制御部３５へ出力する受信部１９と、
少なくとも前記制御盤１７を覆うとともに前記制御盤１７を表出させる点検口４７を有した金属製のケース２１と、
前記点検口４７に着脱自在に取り付けられる電磁波透過性素材よりなる蓋体２３と、
前記蓋体２３の裏面５３に取り付けられ、ケーブル５７及びこのケーブル５７の端末に設けられたコネクタ５９を介して前記受信部１９に導通接続されて前記コントローラ３９からの操作信号を受信して前記受信部１９へ送る蓋体アンテナ２５と、
を備えることを特徴とする。
【０００７】
この開閉装置の構造では、少なくとも制御盤１７が金属製のケース２１により覆われる。「少なくとも制御盤１７を覆う」とは、制御盤１７とともに開閉機１５或いは開閉体１３の一部または全部が覆われてもよい意である。ケース２１には点検口４７が形成される。この点検口４７は、着脱自在に取り付けられる電磁波透過性素材、例えば樹脂製の蓋体２３により覆われる。制御盤１７や開閉機１５のメンテナンスは、この蓋体２３を取り外すことにより、表出した制御盤１７や開閉機１５にアクセスすることによって行われる。
蓋体２３の裏面５３には、蓋体アンテナ２５が取り付けられる。蓋体アンテナ２５には、ケーブル５７が接続され、そのケーブル５７の端末には、コネクタ５９が設けられている。蓋体アンテナ２５は、このコネクタ５９が、制御盤１７の受信部１９に結合されて、制御盤１７に導通接続される。蓋体２３は、電磁波透過性素材（樹脂製）であり、比較的大きな面積を確保できるので、従来の金属製のケース２１に覆われて設けられている内蔵アンテナ４５に比べ、受信性能を高めることができる。これにより、離れた場所からの操作信号を受信することができるようになる。
また、蓋体アンテナ２５は、蓋体２３の裏面５３に取り付けられているため、蓋体２３が点検口４７に取り付けられると、アンテナが裏側となり、ケース２１の外観には表れない。これにより、従来のオプションアンテナのように、ケース２１の外部や建造物２７の外壁面にアンテナが露出したり、アンテナとケース２１との間を接続するケーブル等が露出したりしなくなる。このため、開閉装置１１の意匠性を損ねることがなくなる。
さらに、既存の金属製の蓋体を、樹脂製の蓋体２３及び蓋体アンテナ２５に交換するのみで作業が完了し、ケース２１の外部に設置する従来のオプションアンテナのように、設置場所をさがしたり、煩雑な設置作業が発生したりすることがない。このため、設置場所をさがす必要がなくなり、オプションアンテナを極めて容易に設置することができるようになる。
【０００８】
本発明の請求項２記載の開閉装置の構造は、請求項１記載の開閉装置の構造であって、
前記蓋体２３の裏面５３に、前記蓋体アンテナ２５を取り付けるための凹部が形成されていることを特徴とする。
【０００９】
この開閉装置の構造では、蓋体２３の裏面５３に、蓋体アンテナ２５を取り付ける凹部が形成される。凹部は、一対の爪部の間に凹みが設けられたクリップ６３や、蓋体２３の成形時に同時に裏面５３に形成した凹溝等とすることができる。蓋体アンテナ２５は、例えばアンテナにアンテナ線５５を用いた構成とすることができる。アンテナ線５５は、複数箇所で屈曲した例えばＳ字形状として取り付けできる。この場合、クリップ状の凹部では、屈曲部６５の前後を保持することでアンテナ線５５を裏面５３の所定の位置に固定できる。
【００１０】
本発明の請求項３記載の開閉装置の構造は、請求項１または２に記載の開閉装置の構造であって、
前記蓋体２３の表面が、前記ケース２１の表面と同一の意匠で統一されていることを特徴とする。
【００１１】
この開閉装置の構造では、金属製のケース２１と、その点検口４７に取り付けられる電磁波透過性素材（樹脂製）の蓋体２３とが同一の意匠に統一される。「同一の意匠」とは、例えば同一色の塗装、境目のない一体的な図柄の付与、同一の表面処理、同一の内装材の貼着等が挙げられる。
【００１２】
本発明の請求項４記載の開閉装置の構造は、請求項１〜３のいずれか一つに記載の開閉装置の構造であって、
前記受信部１９のアンテナ回路に、内蔵アンテナ４５が予め接続され、
前記コネクタ５９が前記受信部１９に導通接続されたときには、前記制御部３５が、前記内蔵アンテナ４５と前記受信部１９とを遮断し、前記蓋体アンテナ２５と前記受信部１９とを接続することを特徴とする。
【００１３】
この開閉装置の構造では、蓋体アンテナ２５がオプションアンテナとして用いられる。なお、開閉装置の構造は、蓋体アンテナ２５のみが受信部１９に接続される構成を排除するものではない。すなわち、開閉装置の構造では、蓋体アンテナ２５のみが、主アンテナとして受信部１９に取り付けられてもよい。
蓋体アンテナ２５がオプションアンテナとして内蔵アンテナ４５とともに設けられる場合、受信部１９には、予め内蔵アンテナ４５が接続されている。内蔵アンテナ４５は、例えば制御部３５の基板上に実装される。従来、内蔵アンテナ４５は、蓋体２３が既存の金属製であっても、開口部３１の近傍におけるコントローラ３９からの操作信号は受信が可能となる。例えばケース２１に隙間など構造上必要な間隙を有していることから、そのような間隙を通しても信号が伝わる。但し、内蔵アンテナ４５は、開口部３１よりも大きく離れた場所からは、金属製のケース２１及び金属製の蓋体２３に覆われていることにより、電磁波が阻まれ、十分な操作信号の受信が困難となる。
制御部３５は、蓋体アンテナ２５のコネクタ５９が、受信部１９に結合されたことを検知可能とする。制御部３５は、コネクタ５９が受信部１９に結合されると、既設の内蔵アンテナ４５と受信部１９との接続を遮断し、受信感度が向上する蓋体アンテナ２５と受信部１９とを接続する。制御部３５は、コネクタ５９の接続を検知して、内蔵アンテナ４５と蓋体アンテナ２５を回路的に切り替える。つまり、蓋体アンテナ２５が接続されたときは、内蔵アンテナ４５が無効となる排他仕様となっている。例えば、メンテナンス時等、蓋体２３を取り外してコネクタ５９を結合解除したときには、蓋体アンテナ２５が外されてしまうが、その場合には基板上の内蔵アンテナ４５で受信が可能となる。
【発明の効果】
【００１４】
本発明に係る請求項１記載の開閉装置の構造によれば、ケースの外部にアンテナ取付具などが不要となり、見栄えを良くし、容易に受信感度を向上させることができる。
【００１５】
本発明に係る請求項２記載の開閉装置の構造によれば、蓋体アンテナを蓋体の所定位置に、容易に取り付けでき、蓋対と一体に取り扱うことが可能となる。
【００１６】
本発明に係る請求項３記載の開閉装置の構造によれば、異なる材質からなるケースと蓋体とを同一の外観にでき、開閉装置全体の意匠性を損ねることがない。
【００１７】
本発明に係る請求項４記載の開閉装置の構造によれば、メンテナンス時等、蓋体を取り外したときは、内蔵アンテナで受信でき、蓋体を取り付けたときは、蓋体アンテナに自動で切り替え受信できる。
【図面の簡単な説明】
【００１８】
【図１】本発明の一実施形態に係る開閉装置の構造を備えたシャッター装置の外観正面図である。
【図２】図１に示したシャッター装置におけるケース近傍の側面図である。
【図３】図２に示した蓋体アンテナをケース内側から見た分解斜視図である。
【図４】図１に示した開閉装置の構造における電気回路の構成例を表すブロック図である。
【発明を実施するための形態】
【００１９】
以下、本発明に係る実施形態を図面を参照して説明する。
図１は本発明の一実施形態に係る開閉装置の構造を備えたシャッター装置１１の外観正面図である。
本実施形態に係る開閉装置の構造は、電動のシャッター装置１１に適用される。シャッター装置１１は、重量シャッター、軽量シャッターのいずれであってもよい。また、シャッター装置１１の開閉体１３は、スラットで構成されるシャッターカーテンや、シートで構成されるシャッターカーテンのいずれであってもよい。また、開閉装置の構造は、シャッター装置以外の他の開閉装置、すなわち、電動で開閉される引戸型の自動ドア、リニア上吊りドア、開き戸、門扉、ロールスクリーン、ガレージ扉などにも好適に用いることができる。
【００２０】
本実施形態に係る開閉装置の構造は、開閉体１３と、開閉機１５と、制御盤１７と、受信部１９（図４）と、ケース２１と、蓋体２３と、蓋体アンテナ２５（図２）と、を主要な構成として有する。
【００２１】
開閉体としてのシャッターカーテン１３は、建造物２７の壁２９などに設けられた開口部３１を昇降することで開閉する。開口部３１の間口方向両側には、一対のガイドレール３３が設けられる。シャッターカーテン１３は、左右の側縁が、このガイドレール３３に案内されて昇降することで、開口部３１を開閉する。
【００２２】
本実施形態において、シャッターカーテン１３は、シートカーテンである。従って、シャッター装置１１は、シートシャッターである。シートカーテンは、例えば厚さ０．８〜１ｍｍの軟質な塩化ビニル樹脂などのシート材よりなる。この他、シートカーテンは、他の樹脂にて構成されるシート材や、ゴムシート材、織布や、樹脂製ネットスクリーン、金属製ネットスクリーン、シリカクロス、ガラスクロスなどを素材とする構成や、これら素材を複合や積層させた素材などとしてもよく、さらには、このシャッターカーテンを構成する素材を、耐火性，防火性，防炎性を有する素材とすることもできる。
【００２３】
開閉機１５は、開口部３１の近傍に設けられ、シャッターカーテン１３を電動で開閉駆動する。本実施形態において、開閉機１５は、チューブモータで構成され、シャッターカーテン１３を巻き取り、または巻き戻すことで開閉する。このため、シャッター装置１１には、一般的な機構部分である例えばスプロケットやチェーンなどが無い。シャッター装置１１は、チューブモータを駆動源とすることにより簡素な機構で構成されている。なお、開閉機１５の機構はこれに限定されない。
【００２４】
制御盤１７は、開口部３１の近傍に設けられる。制御盤１７は、開閉機１５に導通接続されて開閉機１５を動作制御する。制御盤１７には、図４に示すように、制御部３５、駆動制御部である駆動部３７、受信部１９などが設けられる。制御盤１７には、商用電源が供給される。この制御盤１７は、後述するコントローラ３９（図４）からの操作信号を無線で受信して、開閉機１５を動作制御する。すなわち、シャッター装置１１は、コントローラ３９を操作することにより、無線による遠隔操作で、シャッターカーテン１３の昇降、停止などが行えるようになっている。
【００２５】
コントローラ３９は、制御盤１７とは別体に構成され、例えばシャッター装置１１の設けられた開口部３１の近傍の壁２９などに取り外し自在に保持、或いは操作者が所持する。コントローラ３９は、送信部（図示略）、操作キー４１、蓄電池や乾電池などを備え、シャッターカーテン１３の開動作、閉動作、停止の操作信号を出力できるように構成されている。このコントローラ３９から出力される操作信号は、電磁波として制御盤１７の受信部１９に送られる。
【００２６】
受信部１９は、制御盤１７に設けられる。受信部１９は、コントローラ３９からの無線による操作信号を制御盤内に設けた制御部３５へ出力する。制御盤１７は、基板４３（図４）を備える。この基板４３には、制御部３５、受信部１９、駆動部３７などが設けられる。基板４３には、これらを接続する回路パターンが印刷配線などにより形成される。基板４３は、実装部品を覆う筐体の内部に収容される。また、本実施形態において、基板４３には、内蔵アンテナ４５（図４）が実装される。内蔵アンテナ４５は、制御部３５により制御可能なアンテナ回路（図示略）を介して受信部１９に接続されている。
【００２７】
ケース２１は、スチール素材などの金属製となる。ケース２１には、少なくとも制御盤１７を覆うとともに、制御盤１７を表出させる点検口４７を有する。シャッターカーテン１３は、開口部３１を開放した際、円筒状に巻かれて開口部３１の上縁（まぐさ）近傍に水平配置された状態となる。ケース２１は、略直方体状に形成され、この巻回された状態のシャッターカーテン１３を収容する容積を有している。また、ケース２１は、正面の一部を切り欠いた点検口４７を有する。ケース２１の内方には、上記の開閉機１５や制御盤１７が配置される。点検口４７は、これらのうち少なくとも制御盤１７を表出させる開口となる。本実施形態において、開閉機１５と制御盤１７は、いずれも正面視において、ケース２１の右端側に配置される。このため、点検口４７もケース２１の右端側に形成されている。
【００２８】
図２は図１に示したシャッター装置１１におけるケース近傍の側面図である。
蓋体２３は、電磁波透過性素材よりなり、例えば樹脂製となる。蓋体２３は、点検口４７に着脱自在に取り付けられる。蓋体２３は、ケース２１の延在方向に直交する断面形状（図２に示す略六角形状）における外形線の一部分に沿った形状に折曲形成される。具体的には、図２に示す略ヘ字形状となる。蓋体２３は、例えば幅長７００ｍｍ、縦２００ｍｍ程度の大きさで形成される。
【００２９】
図３は図２に示した蓋体アンテナ２５をケース内側から見た分解斜視図である。
蓋体２３は、ビスなどによりケース２１に固定され、容易に着脱自在となって点検口４７を塞ぐ。蓋体２３には、ビス留め用のビス穴４９や切欠部５１が四隅に形成されている。この蓋体２３には、蓋体アンテナ２５が取り付けられている。
【００３０】
蓋体アンテナ２５は、蓋体２３の裏面５３に取り付けられる。蓋体アンテナ２５は、線状のアンテナ線５５を有する。アンテナ線５５の一端には、ケーブル５７が接続される。なお、アンテナ線５５は、この接続用のケーブル５７と、アンテナ線５５とが同一であってもよい。
【００３１】
ケーブル５７の端末には、コネクタ５９が取り付けられる。コネクタ５９は、所謂ジャック形式のものとすることができる。同軸ケーブルとする場合には、二極の同軸ケーブル用コネクタを用いることができる。制御盤１７の筐体には、蓋体アンテナ２５のコネクタ５９と結合可能となる相手コネクタ６１が取り付けられる。相手コネクタ６１は、受信部１９に導通接続されている。蓋体アンテナ２５は、このコネクタ５９を介して制御盤１７の受信部１９に導通接続される。蓋体アンテナ２５は、コントローラ３９から出力された操作信号を受信して受信部１９へ送る。
【００３２】
蓋体２３の裏面５３には、蓋体アンテナ２５を取り付けるための凹部が形成されている。凹部は、一対の爪部の間に凹みが設けられた略Ｃ字形状のクリップ６３や、蓋体２３の成形時に同時に裏面５３に形成した凹溝等とすることができる。蓋体アンテナ２５は、例えばアンテナにアンテナ線５５を用いた構成とすることができる。アンテナ線５５は、複数箇所で屈曲した例えばＳ字形状として取り付けできる。本実施形態では、蓋体２３の裏面５３に、アンテナ線５５の配索経路に沿って、複数のクリップ６３が設けられている。クリップ６３は、凹部によりアンテナ回路の先端や屈曲部６５の前後を保持することでアンテナ線５５を裏面５３の所定の位置に固定する。アンテナ線５５が固定された蓋体２３からは、ケーブル５７が延出する。このケーブル５７は、点検口４７からケース内に挿入されて、端末のコネクタ５９が、筐体に設けられた相手コネクタ６１に結合される。
【００３３】
開閉装置の構造では、金属製のケース２１と、その点検口４７に取り付けられる樹脂製の蓋体２３とが同一の意匠とされることにより、外観が統一されている。「同一の意匠」とは、例えば同一色の塗装、境目のない一体的な図柄の付与、同一の表面処理、同一の内装材の貼着等が挙げられる。但し、操作信号の受信を阻害、すなわち電磁波を遮蔽する素材を用いた意匠は除外される。例えば、同一の意匠は、ケース２１の外周に、蓋体２３と同一の樹脂製外装パネルを貼着する処理などであってもよい。
【００３４】
図４は図１に示した開閉装置の構造における電気回路の構成例を表すブロック図である。
開閉装置の構造は、受信部１９のアンテナ回路に、内蔵アンテナ４５が予め接続される。制御部３５は、コネクタ５９が受信部１９に導通接続されたときには、内蔵アンテナ４５と受信部１９とを遮断し、蓋体アンテナ２５と受信部１９とを接続する。また、逆に、制御部３５は、コネクタ５９が受信部１９から結合解除されたときには、内蔵アンテナ４５と受信部１９とを接続する。すなわち、制御部３５は、受信感度を監視してコネクタ５９の結合を検知することができる。制御部３５は、このコネクタ検知信号にもとづき、内蔵アンテナ４５と蓋体アンテナ２５とのいずれか一方をアンテナ回路に選択的に接続可能としている。
【００３５】
次に、上記した構成の作用を説明する。
本実施形態に係る開閉装置の構造では、少なくとも制御盤１７が金属製のケース２１により覆われる。ケース２１には点検口４７が形成される。この点検口４７は、着脱自在に取り付けられる樹脂製の蓋体２３により覆われる。制御盤１７や開閉機１５のメンテナンスは、この蓋体２３を取り外すことにより、表出した制御盤１７や開閉機１５に対して行われる。
【００３６】
蓋体２３の裏面５３には、蓋体アンテナ２５が取り付けられる。蓋体アンテナ２５には、ケーブル５７が接続され、そのケーブル５７の端末には、コネクタ５９が設けられている。コネクタ５９は、所謂ジャック形式のものであってもよい。蓋体アンテナ２５は、このコネクタ５９が、制御盤１７の受信部１９に結合されて、制御盤１７に導通接続される。蓋体２３は、電磁波透過性の高い樹脂製であり、比較的大きな面積を確保できるので、従来の金属製のケース２１に覆われて設けられている内蔵アンテナ４５に比べ、受信性能を高めることができる。これにより、内蔵アンテナ４５よりも離れた場所からの操作信号を受信することができるようになる。
【００３７】
また、蓋体アンテナ２５は、蓋体２３の裏面５３に取り付けられているため、蓋体２３が点検口４７に取り付けられると、アンテナが裏側となり、ケース２１の外観には表れない。これにより、従来のオプションアンテナのように、ケース２１の外部や建造物２７の外壁面にアンテナが露出したり、アンテナとケース２１との間を接続するケーブルが露出したりしなくなる。このため、開閉装置の意匠性を損ねることがなくなる。
【００３８】
さらに、既存の金属製の蓋体を、樹脂製の蓋体２３及び蓋体アンテナ２５に交換するのみで作業が完了し、ケース２１の外部に設置する従来のオプションアンテナのように、設置場所をさがしたり、煩雑な設置作業が発生したりすることがない。このため、設置場所をさがす必要がなくなり、オプションアンテナを極めて容易に設置することができるようになる。
【００３９】
開閉装置の構造では、上記のように、蓋体アンテナ２５を接続することにより、信号送受信距離が延びる。近年では、シャッター装置間で制御信号をやり取りして複数のシャッター装置１１における開閉動作や停止を制御するシャッター制御システムも開発されている。開閉装置の構造は、このような構成においても適用が可能となる。この場合、従来ではそれぞれのシャッター装置１１に近づかなければならなかったが、開閉装置の構造を採用することにより、広い工場内での仕切りとなる多数のシートシャッターを遠隔操作することが、蓋体アンテナ２５の取り付けで容易に可能となる。
【００４０】
また、この開閉装置の構造では、蓋体２３の裏面５３に、蓋体アンテナ２５を取り付ける凹部が形成される。凹部は、一対の爪部の間に凹みが設けられたクリップ６３や、蓋体２３の成形時に同時に裏面５３に形成した凹溝等とすることができる。蓋体アンテナ２５は、例えばアンテナにアンテナ線５５を用いた構成とすることができる。アンテナ線５５は、複数箇所で屈曲した例えばＳ字形状として取り付けできる。この場合、クリップ状の凹部では、屈曲部６５の前後を保持することでアンテナ線５５を裏面５３の所定の位置に固定できる。
【００４１】
また、凹溝では、溝幅開口を溝奥の幅よりも若干小さく形成し、アンテナ線５５を凹溝に嵌入または埋入することで、アンテナ線５５を裏面５３から突出させずに所定の位置に保持することができる。その結果、蓋体アンテナ２５を蓋体２３の所定位置に、容易に取り付けできる。
【００４２】
また、この開閉装置の構造では、金属製のケース２１と、その点検口４７に取り付けられる樹脂製の蓋体２３とが同一の意匠に統一される。その結果、異なる材質からなるケース２１と蓋体２３とを同一の外観にでき、意匠性を損ねることがない。
【００４３】
また、この開閉装置の構造では、蓋体アンテナ２５がオプションアンテナとして用いられる。なお、開閉装置の構造は、蓋体アンテナ２５のみが受信部１９に接続される構成を排除するものではない。すなわち、開閉装置の構造では、蓋体アンテナ２５のみが、主アンテナとして受信部１９に取り付けられてもよい。
【００４４】
蓋体アンテナ２５がオプションアンテナとして内蔵アンテナ４５とともに設けられる場合、受信部１９には、予め内蔵アンテナ４５が設けられている。内蔵アンテナ４５は、例えば制御部３５の基板上に実装される。内蔵アンテナ４５は、蓋体２３が既存の金属製であっても、開口部３１の近傍におけるコントローラ３９からの操作信号は受信が可能となる。但し、開口部３１よりも大きく離れた場所からは、金属製のケース２１及び蓋体２３に覆われていることにより、十分な操作信号の受信が困難となる。
【００４５】
制御部３５は、蓋体アンテナ２５のコネクタ５９が、受信部１９に結合されたことを検知可能とする。制御部３５は、コネクタ５９が受信部１９に結合されると、既設の内蔵アンテナ４５と受信部１９との接続を遮断し、蓋体アンテナ２５と受信部１９とを接続する。制御部３５は、コネクタ５９の接続を検知して、内蔵アンテナ４５と蓋体アンテナ２５を回路的に切り替える。つまり、蓋体アンテナ２５が接続されたときには、内蔵アンテナ４５が無効となる排他仕様となっている。例えば、メンテナンス時等、蓋体２３を取り外してコネクタ５９を結合解除したときは、蓋体アンテナ２５が外されてしまうが、その場合には基板上の内蔵アンテナ４５で受信が可能となる。その結果、メンテナンス時等、蓋体２３を取り外したときは、内蔵アンテナ４５で受信でき、蓋体２３を取り付けたときは、蓋体アンテナ２５に自動で切り替え受信できる。
【００４６】
本発明は上記の実施形態に限定されるものではなく、実施形態の各構成を相互に組み合わせることや、明細書の記載、並びに周知の技術に基づいて、当業者が変更、応用することも本発明の予定するところであり、保護を求める範囲に含まれる。
【００４７】
例えば上記の構成例では、蓋体アンテナにアンテナ線を用いた例を説明したが、蓋体アンテナには、フィルムアンテナを用いてもよい。この場合、蓋体２３の裏面に貼着にて構成させることが可能となる。
また、点検口の位置は、ケースの右側前面に限定されず、ケースの左側前面や、下面、側面であってもよい。
また、開閉装置は、シャッター装置を幅方向に複数連接配置した連装シャッターとしてもよい。この場合、それぞれの点検口に蓋体アンテナを内蔵させることができ、従来のようなケーブルを這わせて壁面に設けるような施工を不要にできる。
【００４８】
従って、本実施形態に係る開閉装置の構造によれば、見栄えを良くし、容易に受信感度を向上させることができる。
【符号の説明】
【００４９】
１１…開閉装置（シャッター装置）
１３…開閉体（シャッターカーテン）
１５…開閉機
１７…制御盤
１９…受信部
２１…ケース
２３…蓋体
２５…蓋体アンテナ
２７…建造物
３１…開口部
３５…制御部
３９…コントローラ
４５…内蔵アンテナ
４７…点検口
５３…裏面
５７…ケーブル
５９…コネクタ
【図１】
2020165107.tif 000003
【図２】
2020165107.tif 000004
【図３】
2020165107.tif 000005
【図４】
2020165107.tif 000006